(57)【要約】      （修正有）【課題】簡単な操作で、ユーザの希望に沿った複数の静止画像の自動レイアウトを行うことができる画像処理装置及びその制御方法並びにプログラムを提供する。【解決手段】印刷装置、無線部で複数の電子機器のそれぞれから静止画像を受信し、各静止画像の大きさ、配置を印刷する印刷紙のサイズに合わせてレイアウトする際、複数の電子機器の１つを優先機に決定し、優先機に決定された電子機器から受信した静止画像の重みづけの割合を最も高く設定する。【選択図】図２
2019091998.tif 000002
【特許請求の範囲】
【請求項１】
無線通信により複数の電子機器のそれぞれから静止画像を受信する受信手段と、前記受信した静止画像を印刷紙に印刷する印刷手段とを備える画像処理装置であって、
前記受信した静止画像のそれぞれの大きさ、配置を前記印刷紙のサイズに合わせてレイアウトするレイアウト手段と、
前記受信手段により前記複数の電子機器のそれぞれから静止画像を受信した場合、前記複数の電子機器の１つを優先機に決定する決定手段とを備え、
前記レイアウト手段は、前記受信した静止画像のうち、前記優先機に決定された電子機器から受信した静止画像の重みづけの割合を最も高く設定することを特徴とする画像処理装置。
【請求項２】
複数種類のレイアウト設定の中から前記レイアウト手段が用いるレイアウト設定をユーザに選択させるための画面を表示する第２の表示手段を更に備えることを特徴とする請求項１記載の画像処理装置。
【請求項３】
前記複数種類のレイアウト設定は、画素数の多い静止画像を優先的に配置する設定と、時系列に規則的に静止画像を配置する設定とを含むことを特徴とする請求項２記載の画像処理装置。
【請求項４】
前記第２の表示手段は、前記優先機の機種に応じて前記複数種類のレイアウトの１つを初期設定とすることを特徴とする請求項２又は３記載の画像処理装置。
【請求項５】
前記複数の電子機器のうち、前記優先機の最大撮影画素数が最も高い場合、前記複数種類のレイアウト設定の１つである作品風のレイアウト設定を初期設定として設定することを特徴とする請求項４記載の画像処理装置。
【請求項６】
前記第２の表示手段は、前記初期設定のレイアウト設定を強調表示することを特徴とする請求項４又は５記載の画像処理装置。
【請求項７】
前記優先機の最大撮影画素数が前記複数の電子機器の中で最も高い場合、前記複数の電子機器からの静止画像は、最大撮影画素数が高い電子機器からの静止画像であるほどその重みづけの割合が高く設定されることを特徴とする請求項１乃至６のいずれか１項に記載の画像処理装置。
【請求項８】
前記優先機の最大撮影画素数が前記複数の電子機器の中で最も低い場合、前記複数の電子機器からの静止画像は、最大撮影画素数が低い電子機器からの静止画像であるほどその重みづけの割合が高く設定されることを特徴とする請求項１乃至７のいずれか１項に記載の画像処理装置。
【請求項９】
前記複数の電子機器のそれぞれに登録されている所有者情報を取得することを特徴とする請求項１乃至８のいずれか１項に記載の画像処理装置。
【請求項１０】
前記決定手段は、前記取得された複数の電子機器の所有者情報がそれぞれ異なる場合は、前記複数の電子機器の中からユーザが所有する電子機器を前記ユーザに選択させるための画面を表示し、前記画面において前記ユーザにより選択された電子機器を優先機に決定することを特徴とする請求項９記載の画像処理装置。
【請求項１１】
前記決定手段は、前記取得された複数の電子機器の所有者情報が同じ場合は、前記複数の電子機器の中から前記優先機をユーザに選択させるための画面を表示することを特徴とする請求項９又は１０記載の画像処理装置。
【請求項１２】
前記複数の電子機器のそれぞれの所有者情報に基づき、各電子機器の所有者を特定する手段と、
前記特定された所有者のうち前記優先機として選択された電子機器の所有者が被写体として撮影されている静止画像の優先度を上げることを特徴とする請求項９乃至１１のいずれか１項に記載の画像処理装置。
【請求項１３】
ネットワークと接続する接続手段を更に備え、
前記受信手段は、前記ネットワークを経由して前記複数の電子機器の少なくとも１つから静止画像を受信することを特徴とする請求項１乃至１２のいずれか１項に記載の画像処理装置。
【請求項１４】
無線通信により複数の電子機器のそれぞれから静止画像を受信する受信手段と、前記受信した静止画像を印刷紙に印刷する印刷手段とを備える画像処理装置の制御方法であって、
前記受信した静止画像のそれぞれの大きさ、配置を前記印刷紙のサイズに合わせてレイアウトするレイアウトステップと、
前記受信手段により前記複数の電子機器のそれぞれから静止画像を受信した場合、前記複数の電子機器の１つを優先機に決定する決定ステップとを有し、
前記レイアウトステップにおいて、前記受信した静止画像のうち、前記優先機に決定された電子機器から受信した静止画像の重みづけの割合を最も高く設定することを特徴とする制御方法。
【請求項１５】
請求項１４記載の制御方法を実行することを特徴とするプログラム。
【発明の詳細な説明】
【技術分野】
【０００１】
本発明は、画像処理装置及びその制御方法並びにプログラムに関し、特に、複数の電子機器から無線通信で受信した静止画像の自動レイアウトを行う画像処理装置及びその制御方法並びにプログラムに関する。
【背景技術】
【０００２】
近年、無線通信機能を有した印刷装置が市場に登場している。かかる印刷装置の中には、その無線通信機能を利用して他の無線通信機能を有した電子機器、例えばスマートフォンやデジタルカメラと通信し、その電子機器で撮影・保存されている画像を受信し印刷するような機能を有するものもある。
【０００３】
かかる印刷のために無線通信機能を有した複数の電子機器から画像を受信する際、無線通信で受信する画像の条件指定をして自動にレイアウトすることが求められている。ここで、条件指定とは、例えば、特定の期間、例えば当日から一カ月以内に撮影された静止画像であるといった条件指定である。
【０００４】
すなわち、印刷装置に、複数の電子機器から受信された複数の画像を、自動レイアウトする場合の処理対象とする画像の選択方法、優先順位付け、印刷サイズ選択に関するアルゴリズムが必要であった。ここで、自動レイアウトとは、任意のテンプレートに従って画像を選択し配置する例と、印刷する際の画像サイズを変更しつつ、複数の静止画像を配置する例を含む。
【０００５】
例えば、特許文献１では以下のような方法で自動レイアウトを行う技術が記載されている。まず、動画中の複数のフレーム画像から被写体の顔画像を検出し、その検出された顔画像に関連する顔関連情報（例えば、動画中の被写体およびその顔状態等）とフレーム画像を関連付けて記憶する。その後、モーションプリント時に、顔関連情報に含まれるメイン人物やその人物の顔状態の情報に基づき自動レイアウトを行うという技術である。
【先行技術文献】
【特許文献】
【０００６】
【特許文献１】特開２０１２−１４６３１３号公報
【発明の概要】
【発明が解決しようとする課題】
【０００７】
しかしながら、特許文献１では、１台の電子機器で撮影された動画のフレーム画像に関連づけられた顔関連情報のみに基づき自動レイアウトが行われる。そのため、複数の静止画像中の各被写体をその静止画像を撮影した電子機器と関連付ける事が出来なかった。
【０００８】
そのため、特許文献１に記載の技術を用いて複数の電子機器から受信された複数の静止画像を自動レイアウトした場合、各ページにレイアウトされた静止画像の解像度、被写体像に統一感がなく、ストーリ性がない、でたらめな印象となってしまう。
【０００９】
そこで、本発明の目的は、簡単な操作で、ユーザの希望に沿った複数の静止画像の自動レイアウトを行うことができる画像処理装置及びその制御方法並びにプログラムを提供することである。
【課題を解決するための手段】
【００１０】
本発明の請求項１に係る画像処理装置は、無線通信により複数の電子機器のそれぞれから静止画像を受信する受信手段と、前記受信した静止画像を印刷紙に印刷する印刷手段とを備える画像処理装置であって、前記受信した静止画像のそれぞれの大きさ、配置を前記印刷紙のサイズに合わせてレイアウトするレイアウト手段と、前記受信手段により前記複数の電子機器のそれぞれから静止画像を受信した場合、前記複数の電子機器の１つを優先機に決定する決定手段とを備え、前記レイアウト手段は、前記受信した静止画像のうち、前記優先機に決定された電子機器から受信した静止画像の重みづけの割合を最も高く設定することを特徴とする。
【発明の効果】
【００１１】
本発明によれば、簡単な操作で、ユーザの希望に沿った複数の静止画像の自動レイアウトを行うことができる。
【図面の簡単な説明】
【００１２】
【図１Ａ】本発明に係る画像処理装置としての印刷装置の構成を示すブロック図である。
【図１Ｂ】図１Ａの印刷装置に無線通信で静止画像を送信する撮像装置の構成を示すブロック図である。
【図２】印刷装置上で実行される自動レイアウト処理の手順を示すフローチャートである。
【図３】図２の自動レイアウト処理中に印刷装置の表示部に表示される静止画像を説明するための図である。
【図４】図２のステップＳ３０９における自動レイアウトの実施の結果であるレイアウト例を示す図である。
【発明を実施するための形態】
【００１３】
以下、添付図面を参照して本発明の実施形態を詳しく説明する。なお、以下の実施形態は特許請求の範囲に係る本発明を限定するものでなく、以下の各実施例で説明されている特徴の組み合わせの全てが本発明の解決手段に必須のものとは限らない。
【００１４】
以下、図１Ａ，図１Ｂを参照して、本発明に係る画像処理装置としての印刷装置１００と、無線通信で印刷装置１００に静止画像を送信する複数の電子機器からなる電子機器システムの構成を説明する。尚、上記複数の電子機器のうち、その１つである撮像装置２００の構成についてのみ以下に説明し、撮像装置２００以外については、撮像装置２００と同様の構成であるため詳細な説明は省略する。
【００１５】
ここで、図１Ａ（ａ）は、印刷装置１００のブロック図であり、図１Ａ（ｂ）は、印刷装置１００の外観図である。また、図１Ｂ（ａ）は、撮像装置２００のブロック図であり、図１Ｂ（ｂ）は、撮像装置２００の外観図である。
【００１６】
本電子機器システムにおいて、印刷装置１００に撮像装置２００が近づいた場合、撮像装置２００内に記憶されている静止画像が印刷装置１００で印刷される。
【００１７】
印刷装置１００及び撮像装置２００はそれぞれ無線部１０４，２０４を有している。本実施例では、撮像装置２００がＢｌｕｅｔｏｏｔｈ（登録商標）のビーコン信号を出力し、印刷装置１００がそのビーコン信号を検知する。これにより、印刷装置１００は、撮像装置２００が近づいたことを認識する。
【００１８】
印刷装置１００は、撮像装置２００が近づいたことを認識すると、無線部１０４を用いて撮像装置２００の無線部２０４と無線通信を行う。これにより、印刷装置１００は、撮像装置２００のメモリＩ／Ｆ２０５に接続中の記憶媒体２０５ａに記憶されている静止画像を受信し、受信した静止画像を印刷部１０７で印刷し出力する。
【００１９】
制御部１０１は、印刷装置１００全体の制御を行う。例えば、操作部１０３へのユーザによる操作内容は、バス部１１０を経由して制御部１０１に送信される。制御部１０１は、その操作内容に対応した指示を各機能ブロックに送信し、印刷装置１００を制御する。例えば、ユーザが外部の記憶媒体１０５ａ（例えばＳＤメモリカード）に記憶されている静止画像を印刷したい場合、ユーザは記憶媒体１０５ａをメモリＩ／Ｆ１０５に接続する。かかる接続がされると、制御部１０１は、表示部１０２に記憶媒体１０５ａ内の静止画像をユーザ選択可能にリスト表示する。その後、ユーザが、操作部１０３を用いて、そのリスト表示された静止画像の中から所望の静止画像を選択すると共にその印刷の実行を入力すると、その操作内容に対応した指示が、制御部１０１から印刷部１０７へ送信される。印刷部１０７は、ユーザが選択された静止画像をメモリＩ／Ｆ１０５に接続中の記憶媒体１０５ａより取得し、その印刷を開始する。
【００２０】
表示部１０２は、ＬＣＤ及びＬＥＤにより構成され、ＬＥＤの点灯状態等によって、印刷装置１００の制御状態を表示する。ここで表示される制御状態とは、例えば、無線部１０４で撮像装置２００と通信を行っている状態や、印刷部１０７で印刷を行っている状態、及び近傍に無線通信機能を有した電子機器があることを検出している状態等を指す。
【００２１】
操作部１０３は、図１Ａ（ｂ）に示す、表示部１０２の外部に配置されるボタンや、表示部１０２上面に配置されたタッチパネルに表示されるボタン等により構成される。ユーザは操作部１０３を操作して、印刷装置１００で実施したい内容を制御部１０１に伝える。制御部１０１はその内容に応じて印刷装置１００の動作制御を行う。
【００２２】
無線部１０４は、撮像装置２００を含む外部の無線通信機能を有した複数の電子機器と、無線を使って通信を行う。無線部１０４は、図示しないアンテナ部と無線制御部に分かれている。アンテナ部が電波の送受信を行う一方、無線制御部はアンテナ部で受信した電波の信号の復調・復号化を行う。復号化した信号が静止画像や動画データである場合は印刷装置１００内の不図示のメモリに送信する。ただし、アンテナ部で受信した信号がビーコン信号である場合、無線制御部は、その信号を復号化することなく無線部１０４は撮像装置２００が近づいてきた旨を制御部１０１に通知する。
【００２３】
メモリＩ／Ｆ１０５は、ＳＤカードのような静止画像を記憶した記憶媒体１０５ａが挿入される挿入口により構成されており、記憶媒体１０５ａがその挿入口に挿入されることにより、記憶媒体１０５ａはメモリＩ／Ｆ１０５と接続する。記憶媒体１０５ａがメモリＩ／Ｆ１０５に接続中に、記憶媒体１０５ａの静止画像をメモリＩ／Ｆ１０５を介して印刷装置１００は取得する。
【００２４】
レイアウト部１０６は、印刷部１０７で複数の静止画像を一枚の印刷紙に印刷する場合に、その複数の静止画像の大きさ、配置をその印刷紙のサイズに合わせてレイアウトする。また、レイアウトしたい静止画像を複数の電子機器から受信した場合は、どの電子機器から受信した静止画像を大きくしたり、配置する割合を多くしたりするか、すなわち、各電子機器からの画像の重みづけの割合を決定する。尚、レイアウト部１０６は、原則として印刷対象の静止画像の大きさ、配置を一枚の印刷紙に全て収まるようにレイアウトする。但し、印刷対象の静止画像の数が多く、一枚の印刷紙のサイズにその全てをレイアウトすることができない場合、レイアウト部１０６は、同様のレイアウトで複数枚の印刷紙に全ての静止画像が印刷されるよう調整する。
【００２５】
印刷部１０７は、印刷紙に、インクジェットや昇華型リボンをつかって印刷を行う。
【００２６】
バス部１１０は、各ブロック間で、電気信号としての命令・指示を送受信するための通信経路である。主には、制御部１０１から送信された命令指示を、各ブロックが実行する。この命令指示に対して各ブロックが実行完了した旨や実行できなかった旨を制御部１０１に返信したときに、制御部１０１が次の命令指示を送信する。
【００２７】
撮像装置２００は、無線通信機能を有する一眼レフデジタルカメラである。尚、本電子機器システムを構成する他の電子機器は、無線通信機能及び撮像機能を有する装置であればよく、一眼レフデジタルカメラに限定されず、例えば、コンパクトデジタルカメラ、スマートフォンなどであってもよい。撮像部２０７で撮影した静止画像を、メモリＩ／Ｆ２０５に接続中のＳＤメモリカードのような記憶媒体２０５ａに記憶する。記憶媒体２０５ａに記憶された静止画像を印刷装置１００で印刷したい場合は、撮像装置２００は無線部２０４を利用して、印刷装置１００にその静止画像を送信する。
【００２８】
制御部２０１は、撮像装置２００全体を制御する。例えば、撮像装置２００で撮影を行う場合、ユーザは操作部２０３を操作する。操作内容は、バス部２１０を経由して制御部２０１に送信され、制御部２０１が、操作部２０３で操作されたように撮像部２０７を制御し、撮影を行う。
【００２９】
制御部２０１には、メモリＩ／Ｆ２０５に接続される、撮像装置２００で撮影した静止画像を保存する大容量の記憶媒体２０５ａとは別に、図示しない小容量の記憶部を装備している。一般にランダムアクセスメモリＲＡＭと呼ばれるものである。その中には、撮像装置２００を使用する際に設定されている、所有者情報や、撮影情報、時間情報、使用国情報が記憶されている。
【００３０】
所有者情報とは、指紋認証センサで読み取った指紋データや、人間の眼球を利用した虹彩認証センサで読み取った虹彩模様データや、氏名情報、生年月日情報などである。図２で後述する自動レイアウト処理において、複数の電子機器から印刷装置１００が静止画像を受信した場合、各電子機器の所有者が同一かどうかが上記所有者情報を用いて判断される。
【００３１】
表示部２０２は、ＬＣＤ、ＬＥＤにより構成され、ＬＥＤの点灯状態等によって、撮像装置２００の制御状態を表示する。ここで表示される制御状態とは、例えば、無線部２０４で印刷装置１００と通信を行っている状態や、撮像部２０７により撮影中のライブビュー画像をリアルタイムに表示している状態を指す。
【００３２】
操作部２０３は、シャッターボタン、十字キー、リングダイヤルのようなハードキーや、表示部２０２上面に配置されたタッチパネルにより構成される。ユーザは操作部２０３を操作して、撮像装置２００で実施したい内容を制御部２０１に伝える。制御部２０１はその内容に応じて撮像装置２００を動作する。
【００３３】
無線部２０４は、印刷装置１００と無線を使って通信を行う。無線部２０４は、図示しないアンテナ部と無線制御部に分かれている。アンテナ部が電波の送受信を行う一方、無線制御部はアンテナ部から外部へ送信すべきデータを電波の信号に変調・符号化する。アンテナ部から送信すべきデータには、静止画像や動画データ等が含まれる。尚、無線制御部は、印刷装置１００に撮像装置２００を近づける際にビーコン信号を送信するようアンテナ部を制御する。
【００３４】
メモリＩ／Ｆ２０５は、ＳＤカードのような静止画像を記憶した記憶媒体２０５ａが挿入される挿入口により構成されており、記憶媒体２０５ａがその挿入口に挿入されることにより、記憶媒体２０５ａはメモリＩ／Ｆ２０５と接続する。記憶媒体２０５ａがメモリＩ／Ｆ２０５に接続中に、記憶媒体２０５ａから静止画像をメモリＩ／Ｆ２０５を介して撮像装置２００は取得し、また、撮像装置２００で撮影した静止画像はメモリＩ／Ｆ２０５を介して記憶媒体２０５ａに保存される。
【００３５】
撮像部２０７は、レンズ、センサを配置している。レンズは、被写体像をセンサの面上に結像し、センサは、レンズにより結像された被写体像の明暗を電気信号に変換して、静止画像のデータを生成する。
【００３６】
バス部２１０は、各ブロック間で、電気信号としての命令指示を送受信するための通信経路である。主には、制御部２０１から送信された命令指示を、各ブロックが実行する。この命令指示に対して各ブロックが実行完了した旨や実行できなかった旨を制御部２０１に返信したときに、制御部２０１が次の命令指示を送信する。
【００３７】
図２は、印刷装置１００上で実行される自動レイアウト処理の手順を示すフローチャートである。本処理は、制御部１０１が印刷装置１００内の図１Ａ（ａ）において不図示のＨＤＤ上にあるプログラムをＲＡＭ２４上で展開することにより実行される。
【００３８】
印刷装置１００に、上記電子機器システムを構成する複数の電子機器の少なくとも１台を手に持って人が近づいた場合に本処理が開始する。尚、印刷装置１００に近づいている電子機器には撮像装置２００が含まれるものとする。
【００３９】
まず、上述の複数の電子機器の少なくとも１台が近づいてきたか否かを判別する（ステップＳ３０２）。本実施例では、無線部１０４が印刷装置１００に近づいてきた撮像装置２００の無線部２０４が送信しているビーコン信号を受信するため、制御部１０１は上述の複数の電子機器の少なくとも１台が近づいてきたと判別する。
【００４０】
次に、近づいてきている電子機器が複数台であるか否かを判別する（ステップＳ３０３）。具体的には、例えば、無線部１０４が、最初に撮像装置２００からのビーコン信号を受信してから、一定時間内例えば、一分以内に他の電子機器からのビーコン信号を受け取らない場合、近づいている電子機器は複数台ではなく、単体と判別する。
【００４１】
その後、印刷装置１００に近づいてきた撮像装置２００の無線部２０４が、無線規格をＢｌｕｅｔｏｏｔｈから、Ｗｉ−Ｆｉに変更し、メモリＩ／Ｆ２０５に接続中の記憶媒体２０５ａ内に保存されている静止画像を印刷装置１００に送信する。
【００４２】
このとき、印刷装置１００は、ある任意の期間に撮影された静止画像に条件指定して受信する。例えば、本日から一カ月以内に撮影された静止画像のみを受信する。
【００４３】
印刷装置１００に複数台の電子機器が近づいてきた場合は、その近づいてきた電子機器の全てからの静止画像を同様の方法で印刷装置１００は受信する。
【００４４】
近づいた電子機器が単体である場合は（ステップＳ３０３でＮＯ）、ステップＳ３０７に移行する。
【００４５】
近づいてきた電子機器が複数台である場合は（ステップＳ３０３でＹＥＳ）、各電子機器の所有者が同一か否かを判断する（ステップＳ３０４）。具体的には、近づいてきた各電子機器に対して登録されている所有者情報の送付要求を送信し、かかる要求に応じて各電子機器から送信された所有者情報に基づき、各電子機器の所有者が同一か否かを判断する。尚、近づいてきた電子機器のいずれからも所有者情報が送信されなかった場合は、同一所有者と判断する。
【００４６】
近づいてきた各電子機器の所有者が異なる場合（ステップＳ３０４でＮＯ）、ステップＳ３０５へ移行する。一方、各電子機器の所有者が同一である場合（ステップＳ３０４でＹＥＳ）、ステップＳ３０６に進む。
【００４７】
ステップＳ３０５では、印刷装置１００に近づいてきた複数の電子機器のそれぞれから送信された静止画像の印刷をしようとしているユーザ（以下単に「ユーザ」という。）に対し、図３（ａ）に示すような画面を表示部１０２に表示して、その複数の電子機器のどの電子機器の所要者かを質問する。ユーザが図３（ａ）の画面に表示される電子機器の１つを選択した場合、その選択された電子機器を優先機に決定し、ステップＳ３０７に進む。尚、優先機に決定された電子機器で撮影された静止画像は、自動レイアウト際にその重みづけが最も高く設定される。
【００４８】
ステップＳ３０６では、表示部１０２に図３（ｂ）に示すような画面３０１を表示して、印刷装置１００に近づいてきた複数の電子機器のどれを優先機とするかをユーザに確認する。例えば、一眼レフカメラである撮像装置２００の他、コンパクトデジタルカメラ及びスマートフォンが印刷装置１００に近づいてきた場合、図３（ｂ）に示すようにこれらの電子機器の機種がわかるアイコン３１１，３１２，３１３が表示される。ユーザが図３（ｂ）の画面に表示される電子機器の１つを選択した場合、その選択された電子機器を優先機に決定し、ステップＳ３０７に進む。
【００４９】
次に、表示部１０２に図３（ｃ）に示すような画面３０２を表示して、複数種類のレイアウト設定の中から自動レイアウトに用いるレイアウト設定を決定する（ステップＳ３０７）。図３（ｃ）には、各レイアウト設定で自動レイアウトされた場合を表示部１０２にプレビュー表示し、ユーザに希望するレイアウト設定を選択させる。
【００５０】
例えば、図３（ｃ）のレイアウト設定３２１がユーザ選択された場合、複数の静止画像を異なったサイズで作品風に自動レイアウトする。すなわち、レイアウト設定３２１では、画素数の多い静止画像、より具体的には、芸術性のある、例えば風景、建物、人物などをバランスのいい構図で撮影した静止画像が優先的にレイアウトされる。また、ユーザはレイアウト設定３２１のテーマを指定することができる。例えば、その指定されたテーマが海である場合、画像解析技術を用いて、海の風景の静止画像を自動収集し、その後それらをいくつかのサイズにして自動レイアウトする。
【００５１】
また、例えば、図３（ｃ）のレイアウト設定３２２がユーザ選択された場合、複数の静止画像を同一サイズとし、且つそのそれぞれの下に、ユーザがメモを記載出来るよう絵日記風に自動レイアウトする。すなわち、レイアウト設定３２２では、時系列に規則的に静止画像が配置される。例えば、旅行で訪れた駅、食事、ペット等の静止画像が同サイズで時系列に規則的に並べられると共にその各静止画像の下にメモを書き込めるコメント欄が配置される。尚、ほぼ同時に撮影された静止画像が複数存在する場合、図４で後述する絵日記風のレイアウト設定３２２に示すように、コメント欄の領域を小さくし、より小さいサイズの静止画像をさらに配置するようにしてもよい。
【００５２】
例えば、優先機が最大撮影画素数が最も高い一眼レフカメラである撮像装置２００である場合は、画素数の多い静止画像を優先的に配置するレイアウト、すなわち作品風レイアウトを初期設定とする。この場合、図３（ｂ）に示すように、その旨を示す黒枠で作品風レイアウトが囲んで強調表示する。一方、優先機が最大撮影画素数が最も低いスマートフォンである場合は、時系列で静止画像を配置するレイアウト、すなわち絵日記風を初期設定とする。この場合、その旨を示す黒枠で絵日記風レイアウトが囲まれた状態で強調表示する。
【００５３】
尚、この自動レイアウトの際、ステップＳ３０４で取得した所有者情報に基づき、各電子機器の所有者が特定できた場合、優先機として選択された電子機器の所有者が被写体として撮影されている静止画像の優先度を上げて自動レイアウトが行われる。
【００５４】
次にステップＳ３０８に進み、印刷装置１００のレイアウト部１０６が自動レイアウトする際の各電子機器から受信した静止画像の重みづけの割合（レイアウトパラメータ）を各電子機器の優先度に応じて決定する（ステップＳ３０８）。各電子機器の優先度は、ステップＳ３０５又はステップＳ３０６で決定された優先機がどの電子機器であるかの判断結果に基づき設定する。
【００５５】
尚、不図示のＵＩを用いてユーザは、ステップＳ３０４〜Ｓ３０６の判断結果に基づき決定された各電子機器の優先度を再設定することができる。この場合、その再設定された各電子機器の優先度に応じてレイアウトパラメータが変更される。
【００５６】
次に、ステップＳ３０７で決定されたレイアウト設定及びステップＳ３０８で決定された各電子機器から受信した静止画像の重みづけの割合に基づき自動レイアウトを実施する（ステップＳ３０９）。
【００５７】
自動レイアウトの実施後、図３（ｄ）に示すように完成したレイアウトを表示部１０２に表示して、ユーザがそのレイアウトに問題がないことを確認したか否かを判定する（ステップＳ３１０）。レイアウトが複数ページにわたる場合は、現在表示部１０２に表示されるページの次のページや前のページに表示を変更するボタンが表示部１０２のタッチパネルに配置される。ユーザが図３（ｄ）のＯＫボタンを押下した場合、ユーザが確認したと判断し（ステップＳ３１０でＹＥＳ）、本処理を終了する。一方、ユーザが図３（ｄ）のＮＧボタンを押下した場合は（ステップＳ３１０でＮＯ）、もう一度ステップＳ３０８に戻り、不図示のＵＩを用いてユーザにより再設定された各電子機器の優先度に応じてレイアウトパラメータを変更する。
【００５８】
図４は、図２のステップＳ３０９における自動レイアウトの実施の結果であるレイアウト例を示す図である。
【００５９】
印刷装置１００に近づいてきた電子機器が、一眼レフカメラＡ（撮像装置２００），コンパクトデジタルカメラＢ，スマートフォンＣの三台である例について説明する。尚、この例では、一眼レフカメラＡは印刷したいユーザが所有者で、コンパクトデジタルカメラＢ，スマートフォンＣは別所有者である。
【００６０】
レイアウト例４０１は、ステップＳ３０５又はステップＳ３０６で一眼レフカメラＡが優先機として決定された場合の初期設定（作品風レイアウト設定３２１）がユーザ選択された場合に表示部１０２に表示される。
【００６１】
機種割合４１１は、レイアウト例４０１において各電子機器から受信した静止画像が配置される割合を示す。レイアウト例４０１のように、優先機として決定された電子機器が各電子機器のうち最大撮影画素数が最も高い一眼レフカメラＡである場合、最大撮影画素数が高い順に機種割合４１１が設定される。具体的には、機種割合４１１は、一眼レフカメラＡ、コンパクトデジタルカメラＢ、スマートフォンＣに対して、それぞれ５０％、３０％、２０％と設定されている。
【００６２】
レイアウト例４０２は、ステップＳ３０５又はステップＳ３０６でスマートフォンＣが優先機に決定された場合の初期設定（絵日記風のレイアウト設定３２２）がユーザ選択された場合に表示部１０２に表示される。
【００６３】
レイアウト例４０２では、日付ごとに、印刷レイアウトの１ページを四分割にしている。撮影日付が多い場合は、数ページにわたって同様のレイアウトが続くことになる。
【００６４】
機種割合４１２は、レイアウト例４０２において各電子機器から受信した静止画像が配置される機種割合を示す。レイアウト例４０２のように、優先機として決定された電子機器が各電子機器のうち最大撮影画素数が最も低いスマートフォンＣである場合、最大撮影画素数が低い順に機種割合４１２が設定される。具体的には、機種割合４１２は、スマートフォンＣ、コンパクトデジタルカメラＢ、一眼レフカメラＣに対して、それぞれ５０％、３０％、２０％と設定されている。
【００６５】
尚、レイアウト例４０２では、９月２８日、９月２９日、９月３０日に撮影された静止画像として、コメント欄の上に静止画像が１つ配置され、さらにコメント欄の横により小さい静止画像が１つ配置されている。この場合、上記設定される機種割合がより高く且つより早く撮影された静止画像がコメント欄の上に配置される。
【００６６】
このように、機種割合４１１，４１２（各電子機器から受信した静止画像の重みづけの割合）は、ステップＳ３０５又はステップＳ３０６で優先機として決定された電子機器が最も高くなるよう設定される。
【００６７】
また、優先機の最大撮影画素数に応じて機種割合４１１，４１２が設定される。すなわち、図３（ａ），（ｂ）のいずれかの画面上で１つの電子機器を選択するという簡単な操作を行うだけで、優先機からの静止画像だけでなく、優先機以外の電子機器からの静止画像についても、ユーザの希望通りに自動レイアウトを行うことができる。
【００６８】
さらに、図４においては不図示だが、最大撮影画素数がスマートフォンＣより高く一眼レフカメラＡより低いコンパクトデジタルカメラＢがステップＳ３０５，Ｓ３０６のいずれかにおいて優先機として決定される場合もある。この場合は、コンパクトデジタルカメラＢから受信した静止画像の重みづけを最も高く設定する。
【００６９】
一方、印刷装置１００が画像を受信した、優先機以外の電子機器（一眼レフカメラＡ、スマートフォンＣ）からの画像の重みづけの割合の設定方法については特に限定されるものではない。例えば、不図示のＵＩを用いてユーザにより設定された優先度に応じて設定してもよいし、図３（ｃ）の画面で選択されたレイアウト設定に応じて設定してもよい。後者の設定方法は、具体的には、図３（ｃ）で作品風のレイアウト設定３２１が選択された場合、最大撮影画素数が高い順に重みづけの割合を高く設定する。すなわち、本実施例においては、一眼レフカメラＡからの画像をスマートフォンＣからの画像より重みづけの割合を高くする。一方、図３（ｃ）で絵日記風のレイアウト設定３２２が選択された場合、最大撮影画素数が低い順に重みづけの割合を低く設定する。すなわち、本実施例においては、スマートフォンＣからの画像を一眼レフカメラＡからの画像より重みづけの割合を高くする。
【００７０】
尚、優先機として決定された電子機器からの画像の重みづけの割合が最も高ければ、印刷装置１００が画像を受信した、優先機以外の電子機器からの画像の重みづけの割合の設定方法は本実施の形態に限定されない。例えば、優先機以外の電子機器からの画像の重みづけの割合は均一となるよう設定してもよい。
【００７１】
以上、本発明の好ましい実施形態について説明したが、本発明はこれらの実施形態に限定されず、その要旨の範囲内で種々の変形及び変更が可能である。
【００７２】
例えば、本実施例では、印刷装置１００の無線部１０４が複数の電子機器から無線で静止画像を受信したが、静止画像を複数の電子機器からから受信できれば、受信方法はかかる方法に限定されない。例えば、印刷装置１００が不図示のネットワークと接続しており、そのネットワーク経由で上記複数の電子機器の少なくとも１つから静止画像を受信するようにしてもよい。
【００７３】
（その他の実施例）
本発明の目的は、前述した実施形態の機能を実現するソフトウェアのプログラムコードを記録した記憶媒体を、装置に供給することによっても、達成されることは言うまでもない。このとき、供給された装置の制御部を含むコンピュータ（またはＣＰＵやＭＰＵ）は、記憶媒体に格納されたプログラムコードを読み出し実行する。
【００７４】
この場合、記憶媒体から読み出されたプログラムコード自体が前述した実施形態の機能を実現することになり、プログラムコード自体及びそのプログラムコードを記憶した記憶媒体は本発明を構成することになる。
【００７５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００７６】
また、上述のプログラムコードの指示に基づき、装置上で稼動しているＯＳ（基本システムやオペレーティングシステム）などが処理の一部又は全部を行い、その処理によって前述した実施形態の機能が実現される場合も含まれることは言うまでもない。
【００７７】
さらに、記憶媒体から読み出されたプログラムコードが、装置に挿入された機能拡張ボードやコンピュータに接続された機能拡張ユニットに備わるメモリに書込まれ、前述した実施形態の機能が実現される場合も含まれることは言うまでもない。このとき、そのプログラムコードの指示に基づき、その機能拡張ボードや機能拡張ユニットに備わるＣＰＵ等が実際の処理の一部又は全部を行う。
【符号の説明】
【００７８】
１００  印刷装置
１０１  制御部
１０２  表示部
１０３  操作部
１０４  無線部
１０５  メモリＩ／Ｆ
１０６  レイアウト部
１０７  印刷部
１１０  バス部
２００  撮像装置
２０４  無線部
【図１Ａ】
2019091998.tif 000003
【図１Ｂ】
2019091998.tif 000004
【図２】
2019091998.tif 000005
【図３】
2019091998.tif 000006
【図４】
2019091998.tif 000007